(57)【要約】【課題】汎用性が高く経済的で、且つ牛への着脱作業とか大きさの変更作業における作業性が良好な牛用面綱及び該面綱に用いられる綱結合具を提供する。【解決手段】綱２を略格子状に組んで構成される牛用面綱において、上記綱２の三叉状の結合部に、略Ｔ形又は略Ｙ形に延びて外周面上に開口する受溝３３を備えた綱受材３１と、該綱受材３１に対して受溝３３を覆うように螺着されるとともにその螺着側端面を綱押え面３４とした綱押材３２を備え、綱受材３１の受溝３３に綱２を二本並びで嵌入させた状態で該綱受材３１に対して綱押材３２を螺着し、綱受材３１の受溝３３と綱押材３２の綱押え面３４の間で綱２を挟圧保持するように構成した綱結合具を用いる。係る構成によれば、従来のような綱の結び方についての特殊技能を要することなく、素人でも上記面綱１を容易に作ることができ、該面綱１をより安価に提供することができるとともに、使用によって綱２が損傷したような場合には、該綱２のみを交換すればよく、極めて経済的である。【選択図】図１
2009195223.tif 000002
【特許請求の範囲】
【請求項１】
綱（２）を二本並び状態で略Ｔ形又は略Ｙ形に結合して三方へ延出させるための綱結合具であって、
略Ｔ形又は略Ｙ形に延びて外周面上に開口する受溝（３３）を備えた綱受材（３１）と、該綱受材（３１）に対して上記受溝（３３）を覆うように螺着されるとともにその螺着側端面を綱押え面（３４）とした綱押材（３２）を備え、
上記綱受材（３１）の上記受溝（３３）に上記綱（２）を二本並びで嵌入させた状態で該綱受材（３１）に対して上記綱押材（３２）を螺着し、上記綱受材（３１）の上記受溝（３３）と上記綱押材（３２）の上記綱押え面（３４）の間で上記綱（２）を挟圧保持するように構成したことを特徴とする綱結合具。
【請求項２】
請求項１において、
上記綱押材（３２）の綱押え面（３４）に、上記綱（２）に対して弾圧係止する掛止爪（３９）が設けられていることを特徴とする綱結合具。
【請求項３】
綱（２）を二本並び状態で略Ｔ形又は略Ｙ形に結合して三方へ延出させるための綱結合具であって、
厚さ方向に弾性変形可能で且つ面方向には引張剛性をもつ素材で構成された板状体に、綱（２）を二本並び状態で挿通可能な三個の開口（３０Ａ）〜（３０Ｃ）を、該各開口（３０Ａ）〜（３０Ｃ）が三角形の各頂点にそれぞれ対応するようにして設けてなる綱結合具。
【請求項４】
綱（２）を二本並び状態で略格子状に組んで構成される牛用面綱であって、
上記綱（２）の三叉状の結合部に、請求項１、２又は３に記載の綱結合具が用いられていることを特徴とする牛用面綱。
【発明の詳細な説明】
【技術の分野】
【０００１】  本願発明は、畜産牛、特に子牛の頭部に装着して管理用綱の取付け等に使用される牛用面綱及びこれに使用される綱結合具に関するものである。
【背景技術】
【０００２】  畜産牛は、牛舎内で飼育される牛も牧場で放牧される牛も、その管理を容易とするために、管理用綱によって拘引するのが通例である。この場合、管理用綱を結ぶために、牛の鼻隔壁部分に鼻環あるいは鼻木を取り付け、この鼻環等に管理用綱を結び付けるのが一般的である。【０００３】  しかし、これら鼻環等は、牛の鼻隔壁部分を串刺しして取付けるものであるため、鼻隔壁の発達していない子牛には鼻環等を取付けることができず、このため、綱を格子状に結んで作った面綱を取付け、この面綱に対して、必要に応じて管理用綱を結びつけるようにしている。この面綱を用いる場合、一度装着したらいつまでもそのまま使用できるものではなく、子牛の頭部もその成長につれて大きくなるため、成長に合わせて面綱の大きさを変える必要がある。また、鼻環等を取付けることのできる成牛も、例えば、畜産市場での「競り」にかける場合等においては、鼻環等に代えて面綱が装着される。【０００４】  一方、この面綱９１は、図１２に示すように、綱９２を二本並び状態で格子状に結んで作られる。そして、この面綱９１は、図１３に示すように、牛５１の鼻部５４から下顎５５の部分に装着するとともに、その両端部分を側頭部５６から後頭部５７側へ引き出して結ぶことで、牛５１に取付けられる。【０００５】  ところが、綱９２を結んで上記面綱９１を作る場合における綱９２の結び方は特殊であり（即ち、使用中においては結び目が緩むことはなく、その一方、面綱９１の大きさの調整時等においては結び目を容易に緩めることができるような結び方）、これを作ることのできる人が少なくなり、その入手が難しくなりつつある。さらに、このように綱９２を結んで作られる面綱９１においては、当然のことながら幾つかの結び目９３〜９６ができるが、これらの結び目９３〜９６は、上記綱９２として比較的太い綱が用いられることから、比較的大きな球状に近い形状となる。このため、上記面綱９１を牛５１の頭部５２部分に取付けた場合、上記結び目９３〜９６が牛５１の皮膚に当たって擦られ、牛５１に無用の苦痛を与えることも有り得る。【０００６】  このような事情を背景として、例えば、特許文献１に示されるように、布ベルトとＤ環を組み合わせて形成される面綱（特許文献１では、「子牛おもて」と称している）が提案されている。【０００７】
【特許文献１】  特開２００４−１４１００６号公報
【発明の開示】
【発明が解決しようとする課題】
【０００８】  ところが、この特許文献１に示される面綱では、これを構成する布ベルトが専用材であって、汎用性が乏しいことから、この布ベルトが使用によって損傷したような場合、例えＤ環は未だ十分に使用に耐え得るとしても、該Ｄ環を含めた面綱全体の交換が必要となり、不経済である。【０００９】  また、Ｄ環は、その構造上、結合と解除の二つの作動形態を択一的に採らざるを得ないことから、例えば、面綱の大きさを変更するような場合には、全てのＤ環について、一旦、結合状態を解除し、調整後に再度結合しなければならず、変更調整作業が煩雑であるという問題もある。【００１０】  そこで本願発明は、汎用性が高く経済的で、且つ牛への着脱作業とか大きさの変更作業における作業性が良好で、しかも装着状態において牛に与えるダメージが極めて少ない牛用面綱及び該面綱に用いられる綱結合具を提供することを目的としてなされたものである。
【課題を解決するための手段】
【００１１】  本発明ではかかる課題を解決するための具体的手段として次のような構成を採用している。【００１２】  本願の第１の発明に係る綱結合具では、綱２を二本並び状態で略Ｔ形又は略Ｙ形に結合して三方へ延出させるための綱結合具であって、略Ｔ形又は略Ｙ形に延びて外周面上に開口する受溝３３を備えた綱受材３１と、該綱受材３１に対して上記受溝３３を覆うように螺着されるとともにその螺着側端面を綱押え面３４とした綱押材３２を備え、上記綱受材３１の上記受溝３３に上記綱２を二本並びで嵌入させた状態で該綱受材３１に対して上記綱押材３２を螺着し、上記綱受材３１の上記受溝３３と上記綱押材３２の上記綱押え面３４の間で上記綱２を挟圧保持するように構成したことを特徴としている。【００１３】  本願の第２の発明では、上記第１の発明に係る綱結合具において、上記綱押材３２の綱押え面３４に、上記綱２に対して弾圧係止する掛止爪３９を設けたことを特徴としている。【００１４】  本願の第３の発明に係る綱結合具では、綱２を二本並び状態で略Ｔ形又は略Ｙ形に結合して三方へ延出させるための綱結合具において、厚さ方向に弾性変形可能で且つ面方向には引張剛性をもつ素材で構成された板状体に、綱２を二本並び状態で挿通可能な三個の開口３０Ａ〜３０Ｃを、該各開口３０Ａ〜３０Ｃが三角形の各頂点にそれぞれ対応するようにして設けて構成したことを特徴としている。【００１５】  本願の第４の発明では、綱２を二本並び状態で略格子状に組んで構成される牛用面綱であって、上記綱２の三叉状の結合部に、上記第１、第２又は第３の発明に係る綱結合具を用いたことを特徴としている。
【発明の効果】
【００１６】  （ａ）  本願の第１の発明に係る綱結合具によれば、
（ａ−１）  上記綱結合具３が、上記綱受材３１と綱押材３２の螺回結合構造であることから、その着脱操作が容易であるとともに、その螺回量の調整によって上記綱２の結合力を容易に変更設定できる、
（ａ−２）  上記綱受材３１と綱押材３２を完全に分離させずとも、その螺回量を調整することで、上記綱２に対する結合力を緩めてその長さ調整等を行うことができ、例えば、従来のＤ環を用いる場合に比して、調整作業等を容易且つ迅速に行うことができる、
（ａ−３）  上記綱結合具３の端面を平坦面とすることができることから、例えば、上記綱結合具３を用いて面綱１を形成した場合には、該綱結合具３が牛５１の皮膚に当たっても、これによって牛５１に無用の苦痛を与えることが極めて少ない、
（ａ−４）  上記綱結合具３に意匠性をもたせることができ、例えば、従来のような綱の結び目に比して、美観性が良好となる、
等の効果が得られる。【００１７】  （ｂ）  本願の第２の発明に係る綱結合具によれば、上記（ａ）に記載の効果に加えて以下のような特有の効果が得られる。即ち、この発明では、上記綱押材３２の綱押え面３４に、上記綱２に対して弾圧係止する掛止爪３９を設けているので、上記綱受材３１に対して上記綱押材３２を螺合させ、これを締め込んで上記綱押え面３４で綱２を弾圧することで、上記掛止爪３９が上記綱２に自動的に掛止され、この掛止作用によって、上記綱押材３２の使用中における不用意な緩みが阻止できる。この結果、上記綱結合具３による信頼性の高い結合作用が確保されるとともに、格別な緩み止め部材の付設が不要である分だけその低コスト化が図れる。【００１８】  （ｃ）  本願の第３の発明では、綱２を二本並び状態で略Ｔ形又は略Ｙ形に結合して三方へ延出させるための綱結合具を、厚さ方向に弾性変形可能で且つ面方向には引張剛性をもつ素材で構成された板状体に、綱２を二本並び状態で挿通可能な三個の開口３０Ａ〜３０Ｃを設けて構成している。【００１９】  従って、この発明に係る綱結合具によれば、上記開口３０Ａ〜３０Ｃに上記綱２を順次二本並び状態で挿通することで、何ら特別の技術を要することなく、上記綱２を二本並び状態で略Ｔ形又は略Ｙ形に結合して三方へ延出させることができ、上記綱２を用いて牛用面綱を容易に得ることができる。【００２０】  また、上記綱結合具が、素材板材から所定形状に切り出した平板体に三個の開口３０Ａ〜３０Ｃを打ち抜き形成することで得られることから、例えば、該綱結合具を切削加工等の製作作業を要する剛体構成とする場合に比して、低コスト化が図れ、延いては該綱結合具を用いて形成される面綱の低コスト化が図れる。【００２１】  また、上記綱結合具の上記各開口３０Ａ〜３０Ｃに上記綱２を順次二本並び状態で挿通させた場合、該綱２の引出方向に対応して上記綱結合具がその板厚方向へ弾性変形し、該綱２と上記開口縁部との間に適度の挟圧による保持作用が働き、上記綱２の緩み止めがなされる。さらに、上記綱結合具が、その面方向に引張剛性をもっていることから、該綱結合具の上記各開口３Ａ〜３Ｃに該綱結合具の面方向に上記綱２によって引張荷重が掛かっても、これを確実に出力状態することができる。これら両者の相乗作用によって、上記綱結合具を用いて結合される部分の結合強度の信頼性が確保される。【００２２】  一方、上記綱結合具が板状体で構成されていることから、特に上記綱結合具の厚さ方向のコンパクト化が促進され、特に上記綱結合具を用いて牛用面綱を制作した場合、この牛用面綱を牛の鼻部分に装着したときに、該鼻部分の表面上への盛り上がりを低く抑えることができ、牛用面綱を装着した場合における牛への違和感を軽減できるという効果も得られる。【００２３】  （ｄ）  本願の第４の発明に係る牛用面綱によれば、綱２を二本並び状態で略格子状に組んで構成される牛用面綱において、上記綱２の三叉状の結合部に、上記第１、第２又は第３の発明に係る綱結合具を用いているので、
（ｄ−１）  上記綱結合具３を用いることで、従来のような綱の結び方についての特殊技能を要することなく、素人でも上記面綱１を容易に作ることができ、該面綱１をより安価に提供することができる、
（ｄ−２）  上記綱２は広く流通している汎用性が高いものであることから、使用によって上記綱２が損傷したような場合には、該綱２のみを交換すればよく、例えば、上掲の特許文献１のように、布ベルトの損傷等に際して、該布ベルトのみならず、未だ使用できるＤ環をも交換しなければならない場合に比して、極めて経済的である、
（ｄ−３）  上記綱結合具３の端面を平坦面とすることができることから、上記綱結合具３を用いて作られた面綱１においては、該綱結合具３が牛５１の皮膚に当たっても、これによって牛５１に無用の苦痛を与えることが極めて少なく、牛５１に対する保護性能に優れた面綱１を提供できる、
（ｄ−４）  上記綱結合具３に装飾を施して意匠性を持たせることで、美観性に優れた面綱１を得ることができ、延いては該面綱１の商品価値が向上する、
（ｄ−５）  特に、請求項１又は２に係る綱結合具３を用いて面綱１を構成した場合にあっては、上記綱結合具３の螺回量の調整によって、全て螺解せずに上記綱２の長さ調整ができるので、面綱１の着脱作業あるいはその大きさの変更調整作業が極めて容易であり、延いては牛５１の管理コストの低減が可能であり、
（ｄ−６）  特に、請求項３に係る綱結合具３を用いて面綱１を構成した場合にあっては、上記綱結合具３が弾性を持ち且つ平板体で構成されているので、面綱１によってこれを装着した牛の皮膚を傷めるようなことが可及的に防止される、
等の効果が得られる。
【発明を実施するための最良の形態】
【００２４】  以下、本発明を好適な実施形態に基づいて具体的に説明する。【００２５】  「第１の実施形態」
図１には、本願発明の第１の実施形態に係る面綱１を牛５１の頭部５２に装着した状態を示している。また、図２には、上記面綱１の単体状態を示している。【００２６】  ここで、図１のように、上記牛５１に上記面綱１を装着した状態では、牛５１の鼻部５４には第１綱部１Ａと第２綱部１Ｂが上下から巻き掛けられ、下顎部５５には第３綱部１Ｃが下側から巻き掛けられている。そして、上記第１綱部１Ａと第２綱部１Ｂの左右両端と上記第３綱部１Ｃの左右両端は、それぞれ第４綱部１Ｄ、第５綱部１Ｅによって結合されている。さらに、上記第３綱部１Ｃの左右両端と上記第４、第５綱部１Ｄ，１Ｅの結合部からは、それぞれ第６、第７綱部１Ｆ，１Ｇが延出しており、これら第６、第７綱部１Ｆ，１Ｇを、それぞれ牛５１の側頭部５６を通して後頭部５７側へ引き出し、ここでこれらを結ぶことで上記面綱１が牛５１に装着保持される。【００２７】  そして、この面綱１が最も特徴とする点は、上記各綱部間の結合部に設けられた次述する綱結合具３の構成と、該綱結合具３を用いることで上記面綱１を一本の綱２で形成した点である。以下、これらについて詳述する。【００２８】  上記面綱１は、図２に示すように、一本の綱２を、上記各綱部１Ａ〜１Ｇがそれぞれ二本並び状態となるように、所定手順で組み合わせて作られるものであって、上記第１綱部１Ａと第２綱部１Ｂと第４綱部１Ｄの結合部と、上記第１綱部１Ａと第２綱部１Ｂと第５綱部１Ｅの結合部と、上記第３綱部１Ｃと第４綱部１Ｄの結合部、及び上記第３綱部１Ｃと第５綱部１Ｅの結合部は、共に次述する綱結合具３を用いて三本の綱を結合するようにしている。【００２９】  上記綱結合具３は、図３〜図５に示すように、相互に螺着される綱受材３１と綱押材３２で構成される。【００３０】  上記綱受材３１は、木材、樹脂材あるいは金属材で構成された略短柱状形態をもつものであって、その上面３１ａには、直径線に沿って直状に延び且つその両端が外周面３１ｂ上に開口する略Ｕ形の断面形状をもつ第１溝３１Ａと、該第１溝３１Ａの長さ方向略中央部に連続してこれと略直交方向へ延び且つその両端が外周面３１ｂ上に開口する略Ｕ形の断面形状をもつ第２溝３３Ｂが設けられるとともに、その外周面の上面３１ａ寄り部分にはオネジ３８が設けられている。なお、上記綱押材３２は、矢印Ｒ方向が螺締方向（締め込み方向）、矢印Ｂ方向が螺解方向（緩め方向）とされている。【００３１】  綱押材３２は、上記綱受材３１と同様に、木材、樹脂材あるいは金属材で構成された円板状形態をもち、その下面３２ｂ側には円形の嵌合凹部３５が設けられるとともに、該嵌合凹部３５の内周壁面には、上記綱受材３１のオネジ３８に噛合するメネジ４０が設けられている。【００３２】  さらに、上記嵌合凹部３５の周壁となる部分の端面（即ち、綱押材３２の下面外周部分）は、後述のように上記綱受材３１の受溝３３に嵌入された綱２を上方から上記受溝３３の溝底側に向かって押圧挟持する綱押え面３４とされる。この綱押え面３４は、図３に部分拡大するように、ノコ歯状の正面視形状をもち、その各突起を掛止爪３９とするとともに、該掛止爪３９の螺締方向寄りの面を上記掛止爪３９の頂点から螺締方向前方側へ向かって���昇傾斜する傾斜面３９ａとする一方、該掛止爪３９の螺解方向寄りの面を上記掛止爪３９の頂点から上記綱押材３２の軸心に略合致する方向へ延びる直状面３９ｂとしている。【００３３】  なお、この実施形態では、上記綱押材３２の上面３２ａを平滑面としているが、本願発明の他の実施形態では、例えば、図４に鎖線図示するように、上記上面３２ａに凹凸模様とか着色模様を付して意匠性を高めることもできる。
続いて、上記綱結合具３を用いて上記綱２を組み合わせて上記面綱１を作る場合の手順等を説明する。【００３４】  先ず、図２を参照して上記綱２の取り回しを説明する。なお、ここでは、上記綱結合具３について、説明の便宜上、該綱結合具３を、その配置位置に応じて３Ａ〜３Ｄと記載するが、その構成は全て同じである。【００３５】  この実施形態では、一本の綱２を用いて、二本並びの上記各綱部１Ａ〜１Ｆを形成するようにしており、該綱２の両端２ａ、２ｂは、それぞれ編み込み始端と編み込み終端とされ、これらで上記第６綱部１Ｆが形成される。【００３６】  具体的には、先ず、上記各綱結合具３Ａ〜３Ｄにおいて、上記綱押材３２を綱受材３１から取り外し、該綱受材３１の第１溝３３Ａと第２溝３３Ｂに綱２をその上側から嵌入させ得る状態とする。【００３７】  この状態で、上記綱２の始端２ａを一番目の綱結合具３Ａから所定長さだけ余した状態で、該綱２を、一番目の綱結合具３Ａの第２溝３３Ｂから第１溝３３Ａ側へ屈曲状態で嵌入させたのち、さらにこれを二番目の綱結合具３Ｂの第１溝３３Ａ、三番目の第１溝３３Ａに嵌入させる。【００３８】  さらに、該綱２を、四番目の綱結合具３Ｄの第１溝３３Ａから第２溝３３Ｂへ屈曲状に嵌入させた後、該四番目の綱結合具３Ｄから所定長さだけ引き出し、且つこれを折り返して、四番目の綱結合具３Ｄの第２溝３３Ｂから第１溝３３Ａに屈曲状態で嵌入させたのち、一番目の綱結合具３Ａの第１溝３３Ａを経て、二番目の綱結合具３Ｂの第１溝３３Ａから第２溝３３Ｂに屈曲状に嵌入させる。【００３９】  さらに、二番目の綱結合具３Ｂから出た上記綱２を、上記四番目の綱結合具３Ｄと一番目の綱結合具３Ａの間に張設された綱２を、その下側から潜って上側に引き出したのち、三番目の綱結合具３Ｃの第２溝３３Ｂから第１溝３３Ａに屈曲状に嵌入させるとともに、さらに二番目の綱結合具３Ｂの第１溝３３Ａから第２溝３３Ｂへ屈曲状に嵌入させる。【００４０】  さらに、上記二番目の綱結合具３Ｂから出る上記綱２を、上記四番目の綱結合具３Ｄと一番目の綱結合具３Ａの間に張設された綱２を、その上側から潜って下側に引き出したのち、三番目の綱結合具３Ｃの第２溝３３Ｂから第１溝３３Ａに屈曲状に嵌入させ、さらに四番目の綱結合具３Ｄの第１溝３３Ａに嵌入させたのち、上記一番目の綱結合具３Ａの第１溝３３Ａから第２溝３３Ｂに屈曲状に嵌入させて上記終端２ｂに至らせる。【００４１】  しかる後、上記各綱結合具３Ａ〜３Ｂの各綱受材３１に上記綱押材３２を螺合させて該綱受材３１と綱押材３２を一体化する。この場合、上記各綱結合具３Ａ〜３Ｄにおいては、図４及び図５に示すように、上記受溝３３に嵌入された二本の綱２，２は、該受溝３３の溝底と上記綱受材３１の綱押え面３４の間で弾圧挟持される。また、上記綱押材３２の螺回操作に伴って上記綱押え面３４の各掛止爪３９が上記綱２に食い込んでこれに掛止される。この掛止作用は、上記綱２を綱結合具３からの引抜抵抗となる【００４２】  さらに、上記綱２のうち、上記受溝３３の第１溝３３Ａと第２溝３３Ｂに跨って屈曲状に嵌入された綱２は、図５に示すように、上記第１溝３３Ａと第２溝３３Ｂの交差部に位置する出隅部３６の直交方向へ延出する一対の壁面３６ａ，３６ｂに接触状態で嵌入されることから、該綱２の引抜方向において屈曲部分が引抜抵抗となる。【００４３】  従って、図５に示すように、上記綱受材３１の第１溝３３Ａと第２溝３３Ｂのそれぞれに上記綱２を二本並び状態で嵌入させた後、上記綱受材３１に上記綱押材３２を螺合させ、これを螺締方向Ｒへ回動させて締め込むことで、図４に示すように、上記綱受材３１の受溝３３の各第１溝３３Ａ及び第２溝３３Ｂの外端寄り部分と上記綱押材３２の上記綱押え面３４との間で上記綱２が弾圧挟持されて所要の引抜抵抗が発生するとともに、上記綱押え面３４の掛止爪３９が上記綱２に食い込んでこれと掛止されることで引抜抵抗が発生し、さらに上記第１溝３３Ａと第２溝３３Ｂの間の出隅部３６においても引抜抵抗が発生する。【００４４】  また、上記綱押材３２の綱押え面３４に設けられた上記掛止爪３９は、その螺締方向寄りの面を上記掛止爪３９の頂点から螺締方向前方側へ向かって上昇傾斜する傾斜面３９ａとし、螺解方向寄りの面を上記掛止爪３９の頂点から上記綱押材３２の軸心に略合致する方向へ延びる直状面３９ｂとしていることから、上記綱押材３２の螺締方向Ｒへの回動は、上記直状面３９ｂが上記綱２に食込んでこれに係止されることで可及的に阻止され、上記綱押材３２の不用意な緩みが防止される。【００４５】  これら三つの引抜抵抗による引抜阻止作用と、上記掛止爪３９による不用意な緩みの防止作用の相乗効果によって、上記綱２の上記綱結合具３部分での結合が信頼性の高い強固なものとなり、延いては上記綱結合具３を用いて作られた上記面綱１は、使用中における緩みの無い信頼性の高いものとなる。【００４６】  なお、上記綱押材３２の螺締方向Ｒへの回動は、上記掛止爪３９の螺締方向寄りの面が傾斜面３９ａとされていることで支障なく許容される。また、上記掛止爪３９の直状面３９ｂによって上記綱押材３２の自然螺解が防止されるが、これは格別な回動力を掛けない限り、牛５１の動きに伴う振動等では螺解されず緩まない、という意味である。従って、一旦、上記綱押材３２を螺締方向Ｒに締め込んだ後も、例えば、上記綱押材３２を螺解方向Ｌへ強制的に回動させることで、上記綱２が変形して上記掛止爪３９との間の掛止作用が解除され、該綱押材３２を緩めることができるものである。【００４７】  このように構成された上記綱結合具３、及び該綱結合具３を用いて作られた上記面綱１においては以下のような作用効果が得られる。【００４８】  即ち、上記綱結合具３は、上記綱受材３１と綱押材３２の螺回結合構造であることから、その着脱操作が容易であるとともに、その螺回量の調整によって上記綱２の結合力を容易に変更設定でき、例えば、一旦、面綱１を作った後の寸法調整作業や、上記綱２の交換作業が容易である。【００４９】  上記綱結合具３の端面を平坦面とすることができることから、例えば、上記綱結合具３を用いて面綱１を形成した場合には、該綱結合具３が牛５１の皮膚に当たっても、これによって牛５１に無用の苦痛を与えることが極めて少なく、牛５１に対する保護性能が向上する。【００５０】  上記綱２を二本並び状態で略格子状に組んで上記面綱１を作る際、該綱２の三叉状��結合部に上記綱結合具３を用いているので、従来のような綱の結び方についての特殊技能を要することなく、素人でも上記面綱１を容易に作ることができ、該面綱１をより安価に提供することができる。【００５１】  また、上記綱２は広く流通している汎用性が高いものであることから、使用によって上記綱２が損傷したような場合には、該綱２のみを交換すればよく、例えば、従来のように、面綱全体を交換しなければならない場合に比して、極めて経済的である。【００５２】  さらに、上記綱結合具３に装飾を施して意匠性を持たせることで、美観性に優れた面綱１を得ることができ、延いては該面綱１の商品価値が向上する。【００５３】  「第２の実施形態」
図６には、本願発明の第２の実施形態に係る面綱１を牛５１の頭部５２に装着した状態を示している。また、図７には、上記面綱１の単体状態を示している。【００５４】  この実施形態の面綱１は、その基本構成を上記第１の実施形態における面綱１と同様とし、一本の綱２を、４個の綱結合具３を介して、二本並び状態で略Ｔ形又は略Ｙ形に結合し、これを三方へ延出させて構成されるものであって、該第１の実施形態における面綱１と異なる点は、上記綱結合具３の構造である。【００５５】  即ち、上記第１の実施形態に係る綱結合具３は、これを剛性材で形成された二分割形の綱受材３１と綱押材３４で構成し、上記綱２を、上記綱受材３１の受溝３３によって延出方向を規定した上で、該綱受材３１と綱押材３４の両者間で挟持することでその滑りを規制し、これによって結合強度が高い結合構造を実現したものである。【００５６】  これに対して、この実施形態の上記綱結合具３は、図８に示すように、所定径の円板状の素材に三個の円形の開口３０Ａ〜３０Ｃを穿設して構成されている。なお、この綱結合具３について、面綱１上における配置位置を特定する必要がある場合には、「３」という符号標記に代えて、便宜上「３Ａ」〜「３Ｃ」と標記する。【００５７】  ここで、上記綱結合具３の素材は、その板厚方向へ弾性をもち、且つその平面方向には所要の引張剛性をもつものが最適であって、この実施形態では、例えば、上下一対のラバー板３ａ，３ｂ間に、繊維補強層３ｃを挟設して構成されたものを採用している。【００５８】  さらに、この綱結合具３には、上記三個の開口３０Ａ〜３０Ｃが穿設されているが、この場合、該綱結合具３の直径上の二点に所定間隔をもって二つの開口３０Ａ，３０Ｂをそれぞれ設けるとともに、該各開口３０Ａ，３０Ｂを結ぶ直線を挟んでその一方側へ他の開口３０Ｃを設け、これらが二等辺三角形の各頂点に位置するように、その形成位置を設定している。このような開口の配置構成を採用した結果、上記綱結合具３の上記直線の他方側には平面状部分が残存するが、この残存部分には、例えば、「○○牛」等の牛の産地表示を行う表示材４１等が貼付される。【００５９】  上記面綱１は、図７に示すように、上記綱結合具３を４個用い（符号３Ａ〜３Ｄで示す）、該各綱結合具３の各開口３０Ａ〜３０Ｃに、上記第１の実施形態の場合と同様の手順で上記綱２を二本並び状態で順次挿通することで、格子状形体をもつ面綱１が得られるものである（綱２の具体的な挿通順序等については、第１の実施形態の該当説明を援用し、ここでの説明を省略する）。【００６０】  図９には、上記綱結合具３の上記各開口３０Ａ〜３０Ｃに対する上記綱２の挿通状態を拡大図示している。上記各開口３０Ａ〜３０Ｃのそれぞれには、上記綱２が二本並び状態で挿通される。【００６１】  そして、上記各開口３０Ａ〜３０Ｃに上記綱２が二本並び状態で挿通されることで、該各開口３０Ａ〜３０Ｃにおいては、該各開口３０Ａ〜３０Ｃの周縁と二本の綱２の間が競りあって両者間に摩擦力が作用すること、二本の綱２が上記各開口３０Ａ〜３０Ｃを出たのち八字状に拡開状態で引き出されることから該各開口３０Ａ〜３０Ｃの周縁に掛止される状態となること、さらに、上記��結合具３が綱２の引き出し形状に追従するように該綱２の張力を受けて該綱結合具３の厚さ方向へ弾性変形し、二本の綱２と上記各開口３０Ａ〜３０Ｃの周縁との間に掛止作用及び摩擦力が作用すること、等の相乗効果によって、上記綱結合具３と上記綱２の間に格別な掛止部材を設けなくても、上記綱２に張力が掛かった状態では、該綱２の上記綱結合具３の各開口３０Ａ〜３０Ｃからの抜け止めがなされ、高い結合上の信頼性が得られるものである。【００６２】  尚、上記綱２を弛ませてその張力を消滅させることで、上記抜け止め作用が無くなり、上記綱２を上記各開口３０Ａ〜３０Ｃから抜き差ししてその長さ調節、結合位置調節を行うことができる。【００６３】  以上のようにして、上記綱結合具３と綱２を用いて構成された面綱１を、牛５１の頭部５２に、その顔面５３を避けて鼻部５４から下顎部５５にかけての部位に装着し、且つ上記綱２の両端部を後頭部５７の後ろ側で結んだ装着状態が、図６に示す状態である。【００６４】  この面綱１を装着した場合の作用効果は、上記第１の実施形態の場合と同様であるが、さらに、この実施形態のものでは、上記綱結合具３が厚さ方向に弾性変形可能な平板体で構成されていることから、該綱結合具３が牛５１の皮膚に当たっても、これによって牛５１に無用の苦痛を与えることが極めて少なく、牛５１に対する保護性能に優れた面綱１を提供できるという特有の効果もある。【００６５】  「第３の実施形態」
図１０には、本願発明の第３の実施形態に係る面綱１を牛５１の頭部５２に装着した状態を示している。また、図１１には、上記面綱１の単体状態を示している。【００６６】  この実施形態の面綱１は、上記第２の実施形態における面綱１の簡易タイプとして位置付けられるものであって、上記第２の実施形態では上記綱結合具３を左右に二個、合計四個用いて面綱１を構成していたのに対して、この実施形態では上記綱結合具３を左右に一個、合計二個用いて面綱１を構成したものである。【００６７】  従って、この実施形態の面綱１では、上記綱結合具３を四個用いて構成した第２の実施形態の面綱１の場合に比して、その装着状態での安定性という点においては劣るものの、装着作業が簡単となるとか、低コスト化が図れるという利点があり、簡易な牛の拘引に利用する面綱１として好適である。
【図面の簡単な説明】
【００６８】
【図１】本願発明の第１の実施形態に係る牛用面綱を装着した牛の頭部近傍の斜視図である。
【図２】図１に示した面綱の単体状態での形体を示す斜視図である。
【図３】図１に示した綱結合具の分解斜視図である。
【図４】図１に示した綱結合具の使用状態を説明する斜視図である。
【図５】図４のＶ−Ｖ断面図である。
【図６】本願発明の第２の実施形態に係る牛用面綱を装着した牛の頭部近傍の斜視図である。
【図７】図６に示した面綱の単体状態での形体を示す斜視図である。
【図８】図７に示した綱結合具の拡大斜視図である。
【図９】図８に示した綱結合具への綱の挿通状態を示す拡大図である。
【図１０】本願発明の第３の実施形態に係る牛用面綱を装着した牛の頭部近傍の斜視図である。
【図１１】図１０に示した面綱の単体状態での形体を示す斜視図である。
【図１２】従来の牛用面綱を装着した牛の頭部近傍の斜視図である。
【図１３】図１２に示した面綱の単体状態での形態を示す斜視図である。
【符号の説明】
【００６９】    １      ・・面綱
２      ・・綱
３      ・・綱結合具
３Ａ〜３Ｄ  ・・綱結合具
３０      ・・開口
３１      ・・綱受材
３２      ・・綱押材
３３      ・・受溝
３３Ａ    ・・第１溝
３３Ｂ    ・・第２溝
３４      ・・綱押え面
３５      ・・嵌合凹部
３６      ・・出隅部
３８      ・・オネジ
３９      ・・掛止爪
４０      ・・メネジ
４１      ・・表示材
５１      ・・牛
５２      ・・頭部
５３      ・・顔面
５４      ・・鼻部
５５      ・・下顎部
５６      ・・側頭部
５７      ・・後頭部
【図１】
2009195223.tif 000003
【図２】
2009195223.tif 000004
【図３】
2009195223.tif 000005
【図４】
2009195223.tif 000006
【図５】
2009195223.tif 000007
【図６】
2009195223.tif 000008
【図７】
2009195223.tif 000009
【図８】
2009195223.tif 000010
【図９】
2009195223.tif 000011
【図１０】
2009195223.tif 000012
【図１１】
2009195223.tif 000013
【図１２】
2009195223.tif 000014
【図１３】
2009195223.tif 000015